(57)【要約】【課題】袋口を樹脂製の形状維持部材で開口状態に維持する合成樹脂製袋体を低コストで提供する。【解決手段】表裏の胴部フィルム１ａ、１ｂの左右をサイドシール２した合成樹脂製袋体１Ａにおいて、樹脂製の形状維持小片６を前記袋体開口部４の近傍の両側内面に前記サイドシール２を跨いで表裏の胴部フィルム１ａ、１ｂに融着又は接着し、前記形状維持小片６により袋口を開口状態に維持するようにした。また、樹脂製の形状維持小片６を前記袋体開口部４の近傍の横ガゼット８の内面に折り込み線を跨いで融着又は接着し、前記形状維持小片６により袋口を開口状態に維持するようにした。【選択図】図２
2007284099.tif 000002
【特許請求の範囲】
【請求項１】
表裏の胴部フィルムの左右をサイドシールした合成樹脂製袋体において、樹脂製の形状維持小片を前記袋体開口部近傍の両側内面に前記サイドシールを跨いで表裏の胴部フィルムに融着又は接着し、前記形状維持小片により袋口を開口状態に維持するようにしたことを特徴とする合成樹脂製袋体。
【請求項２】
表裏の胴部フィルムの左右に内側へ折り込まれた横ガゼットを有する合成樹脂製袋体において、樹脂製の形状維持小片を前記袋体開口部近傍の前記横ガゼットの内面に折り込み線を跨いで融着又は接着し、前記形状維持小片により袋口を開口状態に維持するようにしたことを特徴とする合成樹脂製袋体。
【発明の詳細な説明】
【技術分野】
【０００１】
本発明は、内容物の出し入れを容易にした合成樹脂製袋体に関するものである。
【背景技術】
【０００２】
内容物の出し入れを容易にするために、樹脂製の形状維持テープを開口部の周方向に取り付け、前記金樹脂製の形状維持テープにより開口部を開口状態に保持するようにした合成樹脂製袋体が提供されている。
【０００３】
樹脂製の形状維持テープにより開口部を開口状態に保持されていれば内容物の出し入れが容易であるようであるが、この樹脂製の形状維持テープは高価であり、開口部の周方向に取り付けているため長尺を必要とし、コスト高となっている問題がある。
【特許文献１】特開平１０−２５８８４７公報
【特許文献２】特開２０００３−０４０２９０公報
【特許文献３】特開２０００４−０００４４７公報
【特許文献４】特開２０００４−２５６１２０公報
【特許文献５】特開２０００４−２９９６８９公報
【発明の開示】
【発明が解決しようとする課題】
【０００４】
本発明は、袋口を樹脂製の形状維持部材で開口状態に維持する合成樹脂製袋体を低コストで提供することである。
【課題を解決するための手段】
【０００５】
上記の課題を解決するための本発明は、請求項１に記載の通り、表裏の胴部フィルムの左右をサイドシールした合成樹脂製袋体において、樹脂製の形状維持小片を前記袋体開口部近傍の両側内面に前記サイドシールを跨いで表裏の胴部フィルムに融着又は接着し、前記形状維持小片により袋口を開口状態に維持するようにしたことを特徴とするものである。
【０００６】
請求項２に記載の通り、表裏の胴部フィルムの左右に内側へ折り込まれた横ガゼットを有する合成樹脂製袋体において、樹脂製の形状維持小片を前記袋体開口部近傍の前記横ガゼットの内面に折り込み線を跨いで融着又は接着し、前記形状維持小片により袋口を開口状態に維持するようにしたことを特徴とするものである。
【発明の効果】
【０００７】
本発明によると、横ガゼット無しあるいは横ガゼット有りの何れの合成樹脂製袋体においても、袋体開口部近傍の袋体両側内面に融着又は接着した樹脂製の形状維持小片により袋体の両側を拡開することによって袋口を開口状態に維持して内容物の出し入れを容易にする。また、樹脂製の形状維持小片は従来のように長尺テープではなく小片で十分袋口を開口状態に維持するため高価な樹脂製の形状維持部材を節約することができ低コストで合成樹脂製袋体を提供することができる経済的効果を有している。
【発明を実施するための最良の形態】
【０００８】
以下本発明を実施するための最良の形態を図面に基づいて説明する。図１及び図２は底ガゼット３を備え、横ガゼット無しの自立タイプの合成樹脂製袋体１Ａ（以下自立タイプ袋体という）に本発明を適用した実施例である。
【０００９】
すなわち、表裏の胴部フィルム１ａ、１ｂの左右をサイドシール２し、底ガゼット３を備え、開口部４には再開閉可能なチャック５が設けられている自立タイプ袋体１Ａにおいて、Ｔ字形よりなる樹脂製の形状維持小片６を前記自立タイプ袋体１Ａの開口部４の近傍の両側内面に前記サイドシール２を跨いで表裏の胴部フィルム１ａ、１ｂに融着又は接着した構造である。
【００１０】
図３は平袋タイプの合成樹脂製袋体１Ｂ（以下平袋タイプ袋体という）に本発明を適用した実施例である。
【００１１】
すなわち、表裏の胴部フィルム１ａ、１ｂの左右をサイドシール２し、底シール７を施し、開口部４には再開閉可能なチャック５が設けられている平袋タイプ袋体１Ｂにおいて、Ｔ字形よりなる樹脂製の形状維持小片６を前記平袋タイプ袋体１Ｂの開口部４の近傍の両側内面に前記サイドシール２を跨いで表裏の胴部フィルム１ａ、１ｂに融着又は接着した構造である。
【００１２】
図４は横ガゼット付きタイプの合成樹脂製袋体１Ｃ（以下横ガゼット付きタイプ袋体という）に本発明を適用した実施例である。
【００１３】
すなわち、表裏の胴部フィルム１ａ、１ｂの左右に内側へ折り込まれた横ガゼット８をサイドシール２ａし、Ｔ字形よりなる樹脂製の形状維持小片６を前記横ガゼット付きタイプ袋体１Ｃの開口部４の近傍の前記横ガゼット８の内面に折り込み線を跨いで融着又は接着した構造である。
【００１４】
前記樹脂製の形状維持小片６は、ポリエチレン又はポリプロピレン等のポリオレフィンが好ましく、例えば、フォルテ（商品名、積水化学社製、ポリエチレン超延伸シート）である。
【００１５】
本発明は上記の通りの構造であるから、自立タイプ袋体１Ａ及び平袋タイプ袋体１Ｂにおいては、開口部４の近傍の袋体両側内面に融着又は接着した樹脂製の形状維持小片６により袋体の両側を拡開することによって袋口を開口状態に維持して内容物の出し入れを容易にする。
【００１６】
また、横ガゼット付きタイプ袋体１Ｃにおいては、樹脂製の形状維持小片６により横ガゼット８の内面に折り込み線を中央にして横ガゼット８を拡開することによって袋口を開口状態に維持して内容物の出し入れを容易にする。
【００１７】
従って、樹脂製の形状維持テープを開口部の周方向に取り付け、長尺の樹脂製の形状維持テープにより開口部を開口状態に維持した従来の構造に比べて、本発明は短小の樹脂製の形状維持小片６によって十分袋口を開口状態に維持するため高価な樹脂製の形状維持部材を節約することができ低コストで合成樹脂製袋体を提供することができ、内容物の出し入れをより一層容易にする効果を有している。
【００１８】
上記実施例の樹脂製の形状維持小片６はＴ字形であるが、図５の（Ａ）〜（Ｆ）で示すように各種の形状のものでも樹脂製の形状維持小片６としての作用を奏する。
【００１９】
上記実施例の自立タイプ袋体１Ａ、平袋タイプ袋体１Ｂ及び横ガゼット付きタイプ袋体１Ｃは開口部にチャック５を設けた形態であるが、チャック５を設けていない袋体でも本発明は適用することができる。
【００２０】
本発明の自立タイプ袋体１Ａ、平袋タイプ袋体１Ｂ及び横ガゼット付きタイプ袋体１Ｃは、液体や水物あるいは粉体や微粒体、その他各種の包入商品を包入する袋体に適用することで利便性を有している。
【図面の簡単な説明】
【００２１】
【図１】本発明を自立タイプの合成樹脂製袋体に適用した正面図
【図２】図１の袋体の開口部の開口状態の斜視図
【図３】本発明を平袋タイプの合成樹脂製袋体に適用した正面図
【図４】本発明を横ガゼット付きタイプの合成樹脂製袋体に適用した正面図
【図５】樹脂製の形状維持小片の各種の形状を示す図
【符号の説明】
【００２２】
１Ａ    自立タイプの合成樹脂製袋体
１Ｂ    平袋タイプの合成樹脂製袋体
１Ｃ    横ガゼット付きタイプの合成樹脂製袋体
１ａ    表胴部フィルム
１ｂ    裏胴部フィルム
２      サイドシール
３      底ガゼット
４      開口部
５      チャック
６      樹脂製の形状維持小片
７      底シール
８      横ガゼット
【図１】
2007284099.tif 000003
【図２】
2007284099.tif 000004
【図３】
2007284099.tif 000005
【図４】
2007284099.tif 000006
【図５】
2007284099.tif 000007